(57)【要約】【課題】電位治療器が身体に与える影響をユーザが知る手段を提供する。【解決手段】電位治療器１０は、ユーザに接する導電シート１１へ出力している信号の電圧を表示する。ウェアラブルデバイス２０は、電位治療器１０のユーザの心拍数、体温、血圧を測定する。ウェアラブルデバイス２０は、測定した心拍数、体温、血圧の情報を電位治療器１０からの要求に応じて電位治療器１０へ送信する。電位治療器１０は、ウェアラブルデバイス２０から送信されたユーザの心拍数、体温、血圧の情報を表示する。【選択図】図１
2020121062.tif 000002
【特許請求の範囲】
【請求項１】
周辺環境から絶縁状態のユーザの身体に周辺環境より高い電位を付与する電位治療器であって、
外部の装置から、前記身体の状態を示す身体状態データを受信する受信手段と、
前記受信手段が受信した身体状態データが示す前記身体の状態と自装置が前記身体に付与する電位の状態とから得られる情報を表示する表示手段と
を備える電位治療器。
【請求項２】
周辺環境から絶縁状態のユーザの身体に周辺環境より高い電位を付与する電位治療器であって、
外部の装置から、前記身体の状態を示す身体状態データを受信する受信手段と、
前記受信手段が受信した身体状態データと、自装置が前記身体に付与する電位の状態を示す電位状態データとを、前記外部の装置と異なる装置に送信する送信手段と
を備える電位治療器。
【請求項３】
コンピュータに、
周辺環境から絶縁状態のユーザの身体に周辺環境より高い電位を付与する電位治療器から、前記電位治療器が前記身体に付与する電位の状態を示す電位状態データを受信する処理と、
前記身体の状態を検知する身体状態検知装置から検知結果を示す身体状態データを受信する処理と、
前記電位状態データが示す電位の状態と前記身体状態データが示す前記身体の状態とから得られる情報を表示装置に表示させる処理と
を実行させるためのプログラム。
【請求項４】
周辺環境から絶縁状態のユーザの身体に周辺環境より高い電位を付与する電位付与手段と、
前記身体の状態を検知する身体状態検知手段と、
前記電位付与手段による前記身体に対する電位の付与の状態と前記身体状態検知手段により検知された前記身体の状態とから得られる情報を表示する表示手段と
を備える電位治療システム。
【請求項５】
ユーザの身体の状態を検知する身体状態検知装置であって、
周辺環境から絶縁状態の前記身体に周辺環境より高い電位を付与する電位治療器から前記身体に対する電位の付与の状態を示す電位状態データを受信する受信手段と、
前記受信手段が受信した電位状態データが示す情報に応じて通知を行う通知手段と
を備える身体状態検知装置。
【請求項６】
周辺環境から絶縁状態のユーザの身体に周辺環境より高い電位を与える電位治療器であって、
外部の装置から、前記身体の状態を示す身体状態データを受信する受信手段と、
前記受信手段が受信した身体状態データが示す情報に応じて前記身体に対する電位の付与の状態を変更する電位状態変更手段と
を備える電位治療器。
【発明の詳細な説明】
【技術分野】
【０００１】
本発明は、電位治療器、プログラム、電位治療システムおよび身体状態検知装置に関する。
【背景技術】
【０００２】
ユーザの身体を周辺環境より高電位にすることでユーザの身体の状態を改善する電位治療器が知られている。一般的な電位治療器は、絶縁シート上のユーザの身体の一部に接触される通電パッドを備え、通電パッドによりユーザの身体に周辺環境より高い電位の直流又は交流の電圧を印加する。日本では、厚生労働省により、頭痛、肩こり、不眠症、慢性便秘の緩和が電位治療器の効能として認定されている。電位治療器に関する技術を開示している文献として、例えば特許文献１がある。
【先行技術文献】
【特許文献】
【０００３】
【特許文献１】特開平１−５８２６６号公報
【発明の概要】
【発明が解決しようとする課題】
【０００４】
電位治療器により電圧が身体に印加されている状態においては、身体に変化が生じ得るが、従来の電位治療器では、電位治療器のユーザは、電位治療器が自分の身体に与える影響を客観的に知る手段がなかった。
【０００５】
本発明は、電位治療器が身体に与える影響をユーザが知る手段を提供する。
【課題を解決するための手段】
【０００６】
本発明は、周辺環境から絶縁状態のユーザの身体に周辺環境より高い電位を付与する電位治療器であって、外部の装置から、前記身体の状態を示す身体状態データを受信する受信手段と、前記受信手段が受信した身体状態データが示す前記身体の状態と自装置が前記身体に付与する電位の状態とから得られる情報を表示する表示手段とを備える電位治療器を提供する。
【０００７】
また、本発明は、周辺環境から絶縁状態のユーザの身体に周辺環境より高い電位を付与する電位治療器であって、外部の装置から、前記身体の状態を示す身体状態データを受信する受信手段と、前記受信手段が受信した身体状態データと、自装置が前記身体に付与する電位の状態を示す電位状態データとを、前記外部の装置と異なる装置に送信する送信手段とを備える電位治療器を提供する。
【０００８】
また、本発明は、コンピュータに、周辺環境から絶縁状態のユーザの身体に周辺環境より高い電位を付与する電位治療器から、前記電位治療器が前記身体に付与する電位の状態を示す電位状態データを受信する処理と、前記身体の状態を検知する身体状態検知装置から検知結果を示す身体状態データを受信する処理と、前記電位状態データが示す電位の状態と前記身体状態データが示す前記身体の状態とから得られる情報を表示装置に表示させる処理とを実行させるためのプログラムを提供する。
【０００９】
また、本発明は、周辺環境から絶縁状態のユーザの身体に周辺環境より高い電位を付与する電位付与手段と、前記身体の状態を検知する身体状態検知手段と、前記電位付与手段による前記身体に対する電位の付与の状態と前記身体状態検知手段により検知された前記身体の状態とから得られる情報を表示する表示手段とを備える電位治療システムを提供する。
【００１０】
また、本発明は、ユーザの身体の状態を検知する身体状態検知装置であって、周辺環境から絶縁状態の前記身体に周辺環境より高い電位を付与する電位治療器から前記身体に対する電位の付与の状態を示す電位状態データを受信する受信手段と、前記受信手段が受信した電位状態データが示す情報に応じて通知を行う通知手段とを備える身体状態検知装置を提供する。
【００１１】
また、本発明は、周辺環境から絶縁状態のユーザの身体に周辺環境より高い電位を与える電位治療器であって、外部の装置から、前記身体の状態を示す身体状態データを受信する受信手段と、前記受信手段が受信した身体状態データが示す情報に応じて前記身体に対する電位の付与の状態を変更する電位状態変更手段とを備える電位治療器を提供する。
【発明の効果】
【００１２】
本発明によれば、電位治療器が身体に与える影響をユーザが知ることができる。
【図面の簡単な説明】
【００１３】
【図１】第１実施形態に係る電位治療システム１Ａの構成を示した図。
【図２】電位治療器１０の構成を示したブロック図。
【図３】ウェアラブルデバイス２０の構成を示したブロック図。
【図４】第１実施形態の動作例を説明するためのシーケンス図。
【図５】電位治療器１０が表示する画面の一例を示した図。
【図６】第２実施形態に係る電位治療システム１Ｂの構成を示した図。
【図７】スマートフォン３０の構成を示したブロック図。
【図８】第２実施形態の動作例を説明するためのシーケンス図。
【図９】第３実施形態に係る電位治療システム１Ｃの構成を示した図。
【図１０】第３実施形態の動作例を説明するためのシーケンス図。
【図１１】第４実施形態の動作例を説明するためのシーケンス図。
【図１２】第５実施形態の動作例を説明するためのシーケンス図。
【発明を実施するための形態】
【００１４】
［第１実施形態］
図１は、本発明の第１実施形態に係る電位治療システム１Ａを示す図である。電位治療システム１Ａは、少なくとも電位治療器１０およびウェアラブルデバイス２０を含む。絶縁シート１２は、絶縁性を有する素材であり、例えば木製の椅子の脚の下に敷かれる。導電シート１１は、導電性を有する素材である。導電シート１１は、例えば木製の椅子の座面に敷かれ、電位治療器１０に接続される。
【００１５】
電位治療器１０は、接続されている導電シート１１へ高電圧の信号を出力し、導電シート１１上に座るユーザを周辺環境より高電位にする装置である。電位治療器１０は、本発明に係る電位治療器の一例である。ウェアラブルデバイス２０は、ユーザの身体状態を測定するデバイスであり、手首に装着するためのバンドを有する。ウェアラブルデバイス２０は、本発明に係る身体状態検知装置の一例であり、本発明に係る外部の装置の一例でもある。ウェアラブルデバイス２０は、各種センサを有し、例えば、ユーザの身体状態として、心拍数、体温、血圧、加速度などを測定する。ウェアラブルデバイス２０は、無線通信により電位治療器１０に接続し、測定したユーザの身体状態を示す情報を電位治療器１０へ送信する。
【００１６】
図２は、電位治療器１０の構成を示したブロック図である。操作部１０１は、電位治療器１０を操作するための複数のボタンを有する。通信部１０２は、無線通信を行うモジュールである。通信部１０２は、例えばBluetooth（登録商標）の拡張使用の一つであるＢＬＥ（Bluetooth Low Energy）の通信を行い、ウェアラブルデバイス２０と通信を行う。なお、通信部１０２が行う通信は、Bluetoothの通信に限定されるものではなく、他の近距離無線通信の方式であってもよい。ディスプレイ１０３は、液晶ディスプレイであり、各種情報を表示する。
【００１７】
電源部１０５は、家庭用１００Ｖのコンセントに接続する電源コードを有し、電位治療器１０の各部に電力を供給する。高電圧回路１０６は、ユーザを周辺環境より高電位にするための高電圧の信号を生成する回路であり、例えば、１０００Ｖ〜９０００Ｖの電圧の信号を生成する。高電圧回路１０６には生成した信号が出力される導電シート１１が接続される。なお、高電圧回路１０６が生成する信号は、直流信号に限定されるものではなく交流信号であってもよい。高電圧回路１０６は、本発明に係る電位付与手段の一例である。二次電池１０４は、電源部１０５から供給される電力により充電される。二次電池１０４は、電源部１０５がコンセントに接続されていない場合、電位治療器１０の各部に電力を供給する。
【００１８】
制御部１００は、ＣＰＵ（Central Processing Unit）、ＲＯＭ（Read Only Memory）、ＲＡＭ（Random Access Memory）を有する。制御部１００は、ＣＰＵがＲＯＭに記憶されているプログラムを実行することにより各部を制御する。制御部１００においては、ＣＰＵがプログラムを実行することにより、他の装置と情報の送受信する送受信部１００１と、情報をディスプレイ１０３に表示する表示制御部１００２と、電圧制御部１００３が実現する。
【００１９】
送受信部１００１は、通信部１０２を制御してウェアラブルデバイス２０と通信を行い、ウェアラブルデバイス２０から送信される各種情報を受信する。また、送受信部１００１は、通信部１０２を制御して各種メッセージを他の装置へ送信する。送受信部１００１が受信する情報としては、例えば、ユーザの心拍数を示す情報、ユーザの体温を示す情報、ユーザの血圧を示す情報、ウェアラブルデバイス２０の加速度を示す情報などがある。送受信部１００１は、本発明に係る受信手段および送信手段の一例である。
【００２０】
表示制御部１００２は、各種情報がディスプレイ１０３に表示されるようにディスプレイ１０３を制御する。表示制御部１００２からの制御により、ディスプレイ１０３は、例えばユーザの心拍数、ユーザの体温、ユーザの血圧、高電圧回路１０６が生成している信号の電圧などを表示する。表示制御部１００２の制御下で情報を表示するディスプレイ１０３は、本発明に係る表示手段の一例である。
【００２１】
電圧制御部１００３は、高電圧回路１０６が生成する信号の電圧を制御する。電圧制御部１００３は、本発明に係る電位状態変更手段の一例である。
【００２２】
図３は、ウェアラブルデバイス２０の構成を示したブロック図である。通信部２０２は、無線通信を行うモジュールである。通信部２０２は、Bluetoothの拡張使用の一つであるＢＬＥの通信を行い、電位治療器１０と通信を行う。なお、通信部２０２が行う通信は、Bluetoothの通信に限定されるものではなく、他の近距離無線通信の方式であってもよい。タッチパネル２０３は、液晶ディスプレイを有し、各種情報を表示する。また、タッチパネル２０３は、ユーザが指で触れた位置を検知する。センサ部２０５は、ユーザの心拍数を測定するセンサ、ユーザの体温を測定するセンサ、ユーザの血圧を測定するセンサ、加速度を測定する加速度センサなどを有する。センサ部２０５は、各種センサの測定結果を制御部２００へ出力する。二次電池２０４は、ウェアラブルデバイス２０の各部に電力を供給する。スピーカ２０６は、制御部２００から出力される信号に対応した音を出力する。
【００２３】
制御部２００は、ＣＰＵ、ＲＯＭ、ＲＡＭを有する。制御部２００は、ＣＰＵがＲＯＭに記憶されているプログラムを実行することにより、タッチパネル２０３に対して行われた操作に応じて各部を制御する。制御部２００においては、ＣＰＵがプログラムを実行することにより、情報の送受信の機能を有する送受信部２００１と、ユーザへ通知を行う通知部２００２が実現する。
【００２４】
送受信部２００１は、センサ部２０５で測定された心拍数、体温、血圧、加速度を示す情報を電位治療器１０へ送信する。また、送受信部２００１は、他の装置から送信されたメッセージを受信する。送受信部２００１は、本発明に係る受信手段および送信手段の一例である。通知部２００２は、センサ部２０５の測定結果が液晶ディスプレイに表示されるようにタッチパネル２０３を制御する。通知部２００２の制御下で情報を表示するタッチパネル２０３は、本発明に係る通知手段の一例である。
【００２５】
次に第１実施形態の動作例について、図４のシーケンス図を用いて説明する。なお、図４のシーケンス図に示されるステップＳＡ３〜ＳＡ５は、電位治療器１０とウェアラブルデバイス２０がBluetoothの通信のコネクションを確立している状態で行われる。すなわち、ステップＳＡ３の前には、電位治療器１０とウェアラブルデバイス２０がBluetoothの通信のコネクションを確立する処理が行われる。また、ステップＳＡ５の後には、電位治療器１０とウェアラブルデバイス２０の間で確立されてたBluetoothの通信のコネクションを切断する処理が行われる。これらのコネクションの確立及び切断に伴う動作は既知であるため、その説明を省略する。
【００２６】
ユーザは、ウェアラブルデバイス２０を手首に装着し、座面に導電シート１１が敷かれた椅子に着席する。椅子に着席したユーザは、治療の開始を指示する操作を操作部１０１で行う。制御部１００（電圧制御部１００３）は、治療の開始を指示する操作が行われると、高電圧回路１０６を制御し、高電圧の信号を導電シート１１へ出力する（ステップＳＡ１）。また、制御部１００（表示制御部１００２）は、ディスプレイ１０３を制御し、高電圧回路１０６が出力している信号の電圧を表示する（ステップＳＡ２）。
【００２７】
次に制御部１００は、通信部１０２を制御し、情報の送信を要求する要求メッセージをウェアラブルデバイス２０へ送信する（ステップＳＡ３）。通信部２０２が要求メッセージを受信すると、制御部２００（送受信部２００１）は、センサ部２０５のセンサが測定した心拍数を示す情報（以下、心拍数情報とする）、体温を示す情報（以下、体温情報とする）、血圧を示す情報（以下、血圧情報とする）、加速度を示す情報（以下、加速度情報とする）を、通信部２０２を制御して電位治療器１０へ送信する（ステップＳＡ４）。心拍数情報、体温情報、血圧情報および加速度情報は、本発明に係る身体状態データの一例である。
【００２８】
制御部１００（送受信部１００１）は、ウェアラブルデバイス２０から送信された心拍数情報、体温情報、血圧情報および加速度情報を受信する（ステップＳＡ５）。制御部１００（表示制御部１００２）は、心拍数情報、体温情報、血圧情報および加速度情報を受信すると、ディスプレイ１０３を制御し、電圧が表示されている領域とは別の領域に受信した情報をグラフにして表示する（ステップＳＡ６）。ここで制御部１００は、心拍数、体温および血圧をグラフで表示してもよく、また、心拍数、体温および血圧のうちユーザに選択された項目のみをグラフにして表示してもよい。
【００２９】
電位治療器１０およびウェアラブルデバイス２０は、ステップＳＡ３〜ステップＳＡ６の処理を繰り返し予め定められた周期で実行する。図５は、ディスプレイ１０３に表示される画面の一例を示した図である。制御部１００は、新たに心拍数情報、体温情報および血圧情報を受信する毎に、ディスプレイ１０３を制御し、心拍数、体温、血圧の変化をグラフにして表示する。
【００３０】
制御部１００は、治療の開始を指示する操作が行われてから予め定められた時間が経過すると、高電圧回路１０６を制御し、導電シート１１への信号の出力を停止する（ステップＳＡ１００）。
【００３１】
以上説明したように第１実施形態によれば、電位治療器１０は、高電位の状態にあるユーザの身体の状態を示す情報を表示するため、ユーザは、電位治療器１０が身体に与える影響を知ることができる。
【００３２】
なお、上述の動作例では、電位治療器１０からの要求メッセージに応じてウェアラブルデバイス２０が心拍数情報、体温情報および血圧情報を送信しているが、これらの情報を送信する構成は、上述の構成に限定されるものではない。例えば、電位治療器１０とウェアラブルデバイス２０がコネクションを確立した後、ウェアラブルデバイス２０が予め定められた周期で心拍数情報、体温情報および血圧情報を電位治療器１０へ送信してもよい。この構成の場合、電位治療器１０は、ウェアラブルデバイス２０から情報が送信される毎にディスプレイ１０３のグラフを更新する。
【００３３】
また本発明においては、制御部１００は、導電シート１１に出力する信号の電圧を時間の経過に応じて変更してもよい。例えば、制御部１００は、６０００Ｖの信号を１０分間出力するように制御した後、１０００Ｖの信号を２０分間出力するように制御し、この制御を複数回繰り返すようにしてもよい。
【００３４】
また、導電シート１１へ出力する信号の電圧を電位治療器１０が変更する構成においては、時間経過による電圧の変化をグラフにしてディスプレイ１０３で表示してもよい。電圧の変化をグラフにして表示する電位治療器１０で表示する際には、心拍数、体温、血圧のグラフとは別に電圧の変化のグラフを表示してもよく、また、一つのグラフにおいて横軸を時間経過とし、縦軸を電圧および心拍数・体温・血圧として、心拍数、体温、血圧のグラフ上に電圧の変化を重ねて表示してもよい。また、心拍数、体温、血圧のグラフと、電圧の変化のグラフを予め定められた周期で交互に表示してもよい。
【００３５】
また、本発明において、ディスプレイ１０３に表示される情報は、電位治療器１０がウェアラブルデバイス２０から受信したユーザの身体の状態を示す情報と、電位治療器１０がユーザの身体に付与する電位の状態を示す情報とから得られる情報である限り、様々な種類の情報が表示されてよい。例えば、制御部１００が、高電圧の信号が導電シート１１に出力されている期間におけるユーザのカロリー消費量を受信した心拍数情報から算出し、算出したカロリー消費量がディスプレイ１０３に表示されてもよい。なお、カロリー消費量を算出する際には、体温情報も用いるようにしてもよい。また、制御部１００は、信号が導電シート１１に出力されている期間に増加したと推定されるカロリー消費量を算出して表示してもよい。
【００３６】
［第２実施形態］
図６は、本発明の第２実施形態に係る電位治療システム１Ｂを示す図である。電位治療システム１Ｂは、スマートフォン３０を含む点が第１実施形態の電位治療システム１Ａと異なる。以下の説明においては、第１実施形態と同じ構成については同じ符号を付して説明を省略し、第１実施形態との相違点を中心に説明する。
【００３７】
図７は、スマートフォン３０において本発明に係る構成を示したブロック図である。通信部３０２は、無線通信を行うモジュールである。通信部３０２は、Bluetoothの拡張使用の一つであるＢＬＥの通信を行い、電位治療器１０と通信を行う。なお、通信部３０２が行う通信は、Bluetoothの通信に限定されるものではなく、他の近距離無線通信の方式であってもよい。操作部３０１は、スマートフォン３０を操作するための複数のボタンを有する。タッチパネル３０３は、液晶ディスプレイを有し、スマートフォン３０を操作するためのＧＵＩ（Graphical User Interface）を表示する。また、タッチパネル３０３は、ユーザが指で触れた位置を検知する。記憶部３０５は、制御部３００が実行するアプリケーションプログラムを記憶する。
【００３８】
制御部３００は、ＣＰＵ、ＲＯＭ、ＲＡＭを有する。制御部３００は、ＣＰＵがＲＯＭに記憶されているプログラムを実行することにより、タッチパネル３０３に対して行われた操作に応じて各部を制御する。また、制御部３００においては、ＣＰＵがアプリケーションプログラムを実行することにより、他の装置に対して情報を送受信する送受信部３００１と、電位治療器１０から受信した情報をタッチパネル３０３に表示する表示制御部３００２が実現する。
【００３９】
送受信部３００１は、電位治療器１０から送信されるユーザの心拍数、体温、血圧、加速度を示す情報を受信する。送受信部３００１は、本発明に係る受信手段および送信手段の一例である。表示制御部３００２は、タッチパネル３０３を制御し、電位治療器１０から送信された情報をタッチパネル３０３で表示する。表示制御部３００２の制御下で情報を表示するタッチパネル３０３は、本発明に係る表示手段の一例である。
【００４０】
次に第２実施形態の動作例について、図８のシーケンス図を用いて説明する。なお、図８のシーケンス図に示されるステップＳＢ６及びＳＢ７は、電位治療器１０とウェアラブルデバイス２０がBluetoothの通信のコネクションを確立している状態で行われる。また、ステップＳＢ３、ＳＢ８、ＳＢ９及びＳＢ１０１は、電位治療器１０とスマートフォン３０がBluetoothの通信のコネクションを確立している状態で行われる。
【００４１】
ユーザは、ウェアラブルデバイス２０を手首に装着し、座面に導電シート１１が敷かれた椅子に着席する。椅子に着席したユーザは、治療の開始を指示する操作を操作部１０１で行う。制御部１００は、治療の開始を指示する操作が行われると、高電圧回路１０６を制御し、高電圧の信号を導電シート１１へ出力する（ステップＳＢ１）。また、制御部１００（表示制御部１００２）は、ディスプレイ１０３を制御し、高電圧回路１０６が出力している信号の電圧を表示する（ステップＳＢ２）。
【００４２】
次に制御部１００（送受信部１００１）は、高電圧回路１０６が出力している信号の電圧を示す電圧情報を、通信部１０２を制御してスマートフォン３０へ送信する（ステップＳＢ３）。制御部３００（送受信部３００１）は、電圧情報を受信する（ステップＳＢ４）。制御部３００（表示制御部３００２）は、タッチパネル３０３を制御し、受信した電圧情報が示す電圧を表示する（ステップＳＢ５）。
【００４３】
また、制御部１００は、通信部１０２を制御し、情報の送信を要求する要求メッセージをウェアラブルデバイス２０へ送信する（ステップＳＢ６）。通信部２０２が要求メッセージを受信すると、制御部２００（送受信部２００１）は、センサ部２０５のセンサが測定した心拍数を示す心拍数情報、体温を示す体温情報、血圧を示す血圧情報および加速度情報を、通信部２０２を制御して電位治療器１０へ送信する（ステップＳＢ７）。
【００４４】
制御部１００（送受信部１００１）は、通信部１０２が心拍数情報、体温情報および血圧情報を受信すると、ウェアラブルデバイス２０から送信された心拍数情報、体温情報および血圧情報をスマートフォン３０へ転送する（ステップＳＢ８）。
【００４５】
制御部３００（送受信部３００１）は、電位治療器１０から送信された心拍数情報、体温情報および血圧情報を受信する（ステップＳＢ９）。制御部３００（表示制御部３００２）は、心拍数情報、体温情報および血圧情報を受信すると、受信した情報を電圧が表示されている領域とは別の領域においてグラフにして表示する（ステップＳＢ１０）。ここで制御部３００は、心拍数、体温および血圧を同時にグラフで表示してもよく、また、心拍数、体温および血圧のうちユーザに選択された項目のみをグラフにして表示してもよい。
【００４６】
電位治療器１０、ウェアラブルデバイス２０およびスマートフォン３０は、ステップＳＢ３〜ステップＳＢ１０の処理を繰り返し予め定められた周期で実行する。
【００４７】
制御部１００は、治療の開始を指示する操作が行われてから予め定められた時間が経過すると、高電圧回路１０６を制御し、導電シート１１への信号の出力を停止する（ステップＳＢ１００）。制御部１００は、導電シート１１への信号の出力を停止した後、表示の終了を指示する終了メッセージをスマートフォン３０へ送信する（ステップＳＢ１０１）。通信部３０２が終了メッセージを受信すると、制御部３００（表示制御部３００２）は、タッチパネル３０３を制御し、表示していた電圧、心拍数、体温、血圧の表示を終了し、治療が終了したことを知らせるメッセージを表示する（ステップＳＢ１０２）。
【００４８】
第２実施形態によれば、ユーザは、電位治療器１０が出力する信号の電圧や心拍数、体温、血圧などの自身の身体の情報をスマートフォン３０により手元で確認することができる。
【００４９】
［第３実施形態］
図９は、本発明の第３実施形態に係る電位治療システム１Ｃを示す図である。電位治療システム１Ｃは、スマートフォン３０が電位治療器１０およびウェアラブルデバイス２０と通信を行う点が第２実施形態の電位治療システム１Ｂと異なる。以下の説明においては、第１実施形態および第２実施形態と同じ構成については同じ符号を付して説明を省略し、第１実施形態および第２実施形態との相違点を中心に説明する。
【００５０】
第３実施形態の動作例について、図１０のシーケンス図を用いて説明する。なお、図１０のシーケンス図に示されるステップＳＣ３、ＳＣ４及びＳＣ１０１は、スマートフォン３０が電位治療器１０とBluetoothの通信のコネクションを確立している状態で行われる。また、ステップＳＣ６〜ＳＣ８は、スマートフォン３０がウェアラブルデバイス２０とBluetoothの通信のコネクションを確立している状態で行われる。
【００５１】
ユーザは、ウェアラブルデバイス２０を手首に装着し、座面に導電シート１１が敷かれた椅子に着席する。椅子に着席したユーザは、治療の開始を指示する操作を操作部１０１で行う。制御部１００は、治療の開始を指示する操作が行われると、高電圧回路１０６を制御し、高電圧の信号を導電シート１１へ出力する（ステップＳＣ１）。また、制御部１００（表示制御部１００２）は、ディスプレイ１０３を制御し、高電圧回路１０６が出力している信号の電圧を表示する（ステップＳＣ２）。
【００５２】
次に制御部１００は、通信部１０２を制御し、高電圧回路１０６が出力している信号の電圧を示す電圧情報をスマートフォン３０へ送信する（ステップＳＣ３）。通信部２０２が電圧情報を受信すると、制御部３００（送受信部３００１）は、電圧情報を受信する（ステップＳＣ４）。制御部３００（表示制御部３００２）は、受信した電圧情報が示す電圧が表示されるようにタッチパネル３０３を制御し、電圧情報が示す電圧を表示する（ステップＳＣ５）。
【００５３】
また、電圧情報を受信した制御部３００（送受信部３００１）は、通信部３０２を制御し、情報の送信を要求する要求メッセージをウェアラブルデバイス２０へ送信する（ステップＳＣ６）。通信部２０２が要求メッセージを受信すると、制御部２００（送受信部２００１）は、センサ部２０５のセンサが測定した心拍数を示す心拍数情報、体温を示す体温情報、血圧を示す血圧情報を、通信部２０２を制御してスマートフォン３０へ送信する（ステップＳＣ７）。
【００５４】
制御部３００（送受信部３００１）は、ウェアラブルデバイス２０から送信された心拍数情報、体温情報および血圧情報を受信する（ステップＳＣ８）。制御部３００は、心拍数情報、体温情報および血圧情報を受信すると、受信した情報を電圧が表示されている領域とは別の領域においてグラフにして表示する（ステップＳＣ９）。ここで制御部３００は、心拍数、体温および血圧を同時にグラフで表示してもよく、また、心拍数、体温および血圧のうちユーザに選択された項目のみをグラフにして表示してもよい。
【００５５】
電位治療器１０、ウェアラブルデバイス２０およびスマートフォン３０は、ステップＳＣ３〜ステップＳＣ９の処理を繰り返し予め定められた周期で実行する。
【００５６】
制御部１００は、治療の開始を指示する操作が行われてから予め定められた時間が経過すると、高電圧回路１０６を制御し、導電シート１１への信号の出力を停止する（ステップＳＣ１００）。制御部１００は、導電シート１１への信号の出力を停止した後、表示の終了を指示する終了メッセージをスマートフォン３０へ送信する（ステップＳＣ１０１）。通信部３０２が終了メッセージを受信すると、制御部３００（表示制御部３００２）は、タッチパネル３０３を制御し、表示していた電圧、心拍数、体温、血圧の表示を終了し、治療が終了したことを知らせるメッセージを表示する（ステップＳＣ１０２）。
【００５７】
第３実施形態においても、ユーザは、電位治療器１０が出力する信号の電圧や心拍数、体温、血圧などの自身の身体の情報をスマートフォン３０により手元で確認することができる。
【００５８】
なお、第３実施形態においては、スマートフォン３０からの指示で電位治療器１０が導電シート１１への信号の出力を開始してもよく、スマートフォン３０からの指示で電位治療器１０が導電シート１１への信号の出力を停止してもよい。
【００５９】
また、スマートフォン３０からの指示で電位治療器１０が信号の出力を開始する構成の場合、スマートフォン３０は、予め定められた周期で電圧情報を電位治療器１０へ要求し、予め定められた周期で心拍数情報、体温情報、血圧情報をウェアラブルデバイス２０へ要求してもよい。この場合、スマートフォン３０は、要求に応じて送信された情報をタッチパネル３０３に表示する。
【００６０】
［第４実施形態］
図１は、本発明の第４実施形態に係る電位治療システム１Ｄを示す図である。電位治療システム１Ｄは、導電シート１１へ信号を出力していることをウェアラブルデバイス２０でユーザに通知する点が第１実施形態の電位治療システム１Ａと異なる。以下の説明においては、第１実施形態と同じ構成については同じ符号を付して説明を省略し、第１実施形態との相違点を中心に説明する。
【００６１】
図１１は、第４実施形態の動作例を説明するためのシーケンス図である。なお、図１１のシーケンス図に示されるステップＳＤ３及びＳＤ５〜ＳＤ７は、電位治療器１０とウェアラブルデバイス２０がBluetoothの通信のコネクションを確立している状態で行われる。
【００６２】
ユーザは、ウェアラブルデバイス２０を手首に装着し、座面に導電シート１１が敷かれた椅子に着席する。椅子に着席したユーザは、治療の開始を指示する操作を操作部１０１で行う。制御部１００は、治療の開始を指示する操作が行われると、高電圧回路１０６を制御し、高電圧の信号を導電シート１１へ出力する（ステップＳＤ１）。また、制御部１００（表示制御部１００２）は、ディスプレイ１０３を制御し、高電圧回路１０６が出力している信号の電圧を表示する（ステップＳＤ２）。
【００６３】
また、制御部１００（送受信部１００１）は、通信部１０２を制御し、導電シート１１へ信号が出力されていることを示すメッセージをウェアラブルデバイス２０へ送信する（ステップＳＤ３）。通信部２０２がメッセージを受信すると、制御部２００は、音の信号をスピーカ２０６へ出力する（ステップＳＤ４）。これにより、音がスピーカ２０６から出力され、ユーザは、電位治療器１０が信号を出力していることを知ることができる。なお、スピーカ２０６から出力される音は、所定時間出力される構成であってもよい。
【００６４】
なお、ウェアラブルデバイス２０は、タッチパネル２０３を明滅させることにより、電位治療器１０が信号を出力していることをユーザに知らせてもよい。また、ウェアラブルデバイス２０に振動モータを設け、受信したメッセージに応じて振動モータを制御することにより、電位治療器１０が信号を出力していることをユーザに知らせてもよい。
【００６５】
また、制御部１００は、通信部１０２を制御し、情報の送信を要求する要求メッセージをウェアラブルデバイス２０へ送信する（ステップＳＤ５）。通信部２０２が要求メッセージを受信すると、制御部２００（送受信部２００１）は、センサ部２０５のセンサが測定した心拍数を示す心拍数情報、体温を示す体温情報、血圧を示す血圧情報、加速度を示す加速度情報を、通信部２０２を制御して電位治療器１０へ送信する（ステップＳＤ６）。
【００６６】
制御部１００（送受信部１００１）は、ウェアラブルデバイス２０から送信された心拍数情報、体温情報、血圧情報および加速度情報を受信する（ステップＳＤ７）。制御部１００は、心拍数情報、体温情報、血圧情報および加速度情報を受信すると、ディスプレイ１０３を制御し、電圧が表示されている領域とは別の領域に受信した情報をグラフにして表示する（ステップＳＤ８）。ここで制御部１００は、心拍数、体温および血圧を同時にグラフで表示してもよく、また、心拍数、体温および血圧のうちユーザに選択された項目のみをグラフにして表示してもよい。
【００６７】
電位治療器１０およびウェアラブルデバイス２０は、ステップＳＤ３〜ステップＳＤ８の処理を繰り返し予め定められた周期で実行する。
【００６８】
制御部１００は、治療の開始を指示する操作が行われてから予め定められた時間が経過すると、高電圧回路１０６を制御し、導電シート１１への信号の出力を停止する（ステップＳＤ１００）。
【００６９】
第４実施形態によれば、ユーザは、電位治療器１０が信号を出力していることをウェアラブルデバイス２０によって手元で知ることができる。
【００７０】
［第５実施形態］
図１は、本発明の第５実施形態に係る電位治療システム１Ｅを示す図である。電位治療システム１Ｅは、導電シート１１へ出力している信号をユーザの動きに応じて制御する点が第１実施形態の電位治療システム１Ａと異なる。以下の説明においては、第１実施形態と同じ構成については同じ符号を付して説明を省略し、第１実施形態との相違点を中心に説明する。
【００７１】
図１２は、第５実施形態の動作例を説明するためのシーケンス図である。なお、図１２のシーケンス図に示されるステップＳＥ３〜ＳＥ５、ＳＥ７及びＳＥ８は、電位治療器１０とウェアラブルデバイス２０がBluetoothの通信のコネクションを確立している状態で行われる。また、ステップＳＥ１〜ステップＳＥ６の処理は、ステップＳＡ１〜ステップＳＡ６の処理と同じであるため、説明を省略する。
【００７２】
制御部２００（送受信部２００１）は、センサ部２０５の加速度センサが加速度を測定すると、測定した加速度を示す加速度情報を電位治療器１０へ送信する（ステップＳＥ７）。制御部１００（送受信部１００１）は、ウェアラブルデバイス２０から送信された加速度情報を受信する（ステップＳＥ８）。制御部１００は、受信した加速度情報が示す加速度からユーザの状態を判定する（ステップＳＥ９）。制御部１００（電圧制御部１００３）は、加速度情報からユーザが移動していると判定した場合、高電圧回路１０６を制御し、導電シート１１への信号の出力を停止する（ステップＳＥ１０）。
【００７３】
本実施形態によれば、ユーザが移動して導電シート１１から離れたときに信号を出力し続けるのを防ぐことができる。
【００７４】
なお、第５実施形態においては、制御部１００が加速度情報からユーザの移動が終了したと判定した場合、高電圧回路１０６を制御し、導電シート１１への信号の出力を再開してもよい。また、第５実施形態においては、制御部１００が加速度情報からユーザの身振りを判定し、判定した身振りに応じて導電シート１１へ出力する信号の電圧を変更してもよい。また、第５実施形態においては、制御部１１００が導電シート１１へ出力する信号を変えてもよく、例えば、身振りに応じて信号を直流から交流へ変更したり、交流から直流へ変更したりしてもよい。
【００７５】
また、電位治療器１０は、受信した心拍数情報、体温情報、血圧情報の少なくともいずれか一つに応じて、導電シート１１へ出力する信号の電圧を変更してもよい。例えば、電位治療器１０は、心拍数情報が示す心拍数が予め定められた閾値を超えた場合、出力する信号の電圧を変更したり、信号の出力を停止したりしてもよい。また、電位治療器１０は、体温情報が示す体温が予め定められた閾値を超えた場合、出力する信号の電圧を変更したり、信号の出力を停止したりしてもよい。また、電位治療器１０は、血圧情報が示す血圧が予め定められた閾値を超えた場合、出力する信号の電圧を変更したり、信号の出力を停止したりしてもよい。
【００７６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００７７】
上述した実施形態においては、ウェアラブルデバイス２０は、バンドで手首に装着する構成であるが、装着方法はこれに限られない。例えば、ウェアラブルデバイス２０が粘着シートにより身体に張り付ける構成であってもよい。また、上述した実施形態においては、ユーザの身体の状態を検知する身体状態検知手段の一例として、ユーザが身体に装着するウェアラブルデバイス２０が用いられるものとしたが、本発明において身体状態検知手段はウェアラブルデバイスに限られない。例えば、手首にカフを巻き付けるタイプの据え置き型の血圧計や心拍計等がウェアラブルデバイス２０に代えて用いられてもよい。
【００７８】
上述した実施形態においては、電位治療器１０やウェアラブルデバイス２０と通信を行う装置の一例として、スマートフォン３０が用いられるものとしたが、電位治療器１０やウェアラブルデバイス２０と通信を行い、身体情報や電圧等を表示する装置の種類はスマートフォンに限られない。例えば、スマートフォン３０に代えて、電話機能を備えないタブレット端末やＰＣ（Personal Computer）等が用いられてもよい。
【００７９】
上述した実施形態においてスマートフォン３０が実行するプログラムは、例えば、フラッシュメモリ等の不揮発性の記録媒体に記録された状態で頒布され、スマートフォン３０等のコンピュータにより記録媒体から読み取られた後、実行されてもよい。また、上述した実施形態においてスマートフォン３０が実行するプログラムは、例えば、インターネットや移動体通信網等のネットワークを介してサーバ装置からスマートフォン３０等のコンピュータにダウンロードされる形で頒布されてもよい。
【符号の説明】
【００８０】
１Ａ〜１Ｅ…電位治療システム、１０…電位治療器、１１…導電シート、１２…絶縁シート、２０…ウェアラブルデバイス、３０…スマートフォン、１００…制御部、１０１…操作部、１０２…通信部、１０３…ディスプレイ、１０４…二次電池、１０５…電源部、１０６…高電圧回路、２００…制御部、２０２…通信部、２０３…タッチパネル、２０４…二次電池、２０５…センサ部、２０６…スピーカ、３００…制御部、３０１…操作部、３０２…通信部、３０３…タッチパネル、３０５…記憶部、１００１…送受信部、１００２…表示制御部、１００３…電圧制御部、２００１…送受信部、２００２…通知部、３００１…送受信部、３００２…表示制御部
【図１】
2020121062.tif 000003
【図２】
2020121062.tif 000004
【図３】
2020121062.tif 000005
【図４】
2020121062.tif 000006
【図５】
2020121062.tif 000007
【図６】
2020121062.tif 000008
【図７】
2020121062.tif 000009
【図８】
2020121062.tif 000010
【図９】
2020121062.tif 000011
【図１０】
2020121062.tif 000012
【図１１】
2020121062.tif 000013
【図１２】
2020121062.tif 000014